(57)【要約】【課題】新規パーツを増やすことなく導通経路を通すためのスペースの確保も不要でありながら、外部からの意図しない電気による電子制御に対する機能・動作の阻害や電子部品の破壊が発生することを防止することのできる交換レンズを提供することができる。【解決手段】レンズ鏡筒の外観に配置され金属からなる外観リング部と、導電性を有し、光軸と平行に配置され、レンズ保持部材を前記光軸と平行方向に進退移動自在に案内するガイドシャフトと、前記レンズ保持部材を前記ガイドシャフトに沿って前記光軸方向に進退移動させる駆動部と、非導電性を有し、前記レンズ鏡筒に固定されている固定筒と、前記レンズ鏡筒を撮像装置に接続するマウント部と、導電性を有し、前記外観リングと前記ガイドシャフトと前記マウント部とを電気的に接続する導電板と、を備えることを特徴とする交換レンズ。【選択図】図１
2018081116.tif 000002
【特許請求の範囲】
【請求項１】
レンズ鏡筒の外観に配置され金属からなる外観リング部と、
導電性を有し、光軸と平行に配置され、レンズ保持部材を前記光軸と平行方向に進退移動自在に案内するガイドシャフトと、
前記レンズ保持部材を前記ガイドシャフトに沿って前記光軸方向に進退移動させる駆動部と、
非導電性を有し、前記レンズ鏡筒に固定されている固定筒と、
前記レンズ鏡筒を撮像装置に接続するマウント部と、
導電性を有し、前記外観リングと前記ガイドシャフトと前記マウント部とを電気的に接続する導電板と、
を備えることを特徴とする交換レンズ。
【請求項２】
前記外観リング部は、前記レンズ鏡筒の飾りリング又は前記レンズ鏡筒側面に位置するリングであることを特徴とする請求項１に記載の交換レンズ。
【発明の詳細な説明】
【技術分野】
【０００１】
本発明は、制御などのためにカメラ本体と電気的に通信し、通信のための電気回路と光学系とを備えたカメラ本体と着脱可能な交換レンズに関する。
【背景技術】
【０００２】
交換レンズは、光学素子、光量を制御する絞り機構、フォーカス群の光学素子を駆動するフォーカス機構、手ぶれを補正するための補正レンズを駆動する手ぶれ補正機構など、様々な機構を備えている。最近の交換レンズに備えられたこれらの機構は、カメラ本体と交換レンズの通信により電子制御されるため、電装化されている。
【０００３】
交換レンズは、電装化されることで、センサやマイコンなどの電子部品を実装したメイン基板やフレキシブル基板を交換レンズ内部に収める必要がある。しかしながら、使用者は交換レンズが大型化することは許容できない。むしろ交換レンズには、小型化と軽量化がより求められる。
【０００４】
電装化し、さらに小型化と軽量化も達成した交換レンズ内部は、機構部品と電子部品が高密度に配置されているため、交換レンズの内部要因もしくは外部要因により電気的な影響を受ける場合、電子制御に対する機能・動作の阻害や電子部品の破壊が発生する恐れがある。しかし、小型化された交換レンズは、これらの電気的な悪影響に対する対策をするためのスペースを確保することは困難である。
【０００５】
また最近の交換レンズは、従来から用いられていた金属に加えて小型化・軽量化を達成するために合成樹脂素材が交換レンズの部品に用いられている。
【０００６】
金属は、精度・強度の確保や導電性などに優れている。そのため、交換レンズは、交換レンズ内部の光学素子を精度よく支持・移動するための固定筒に金属が用いられることも多く、また、交換レンズ自体をカメラ本体に接続するマウント部は、金属製が主流である。
【０００７】
合成樹脂素材は、軽量化や加工コストに優れている。
【０００８】
部品毎に最適な材料が選択されたうえで、金属と合成樹脂素材と異なる部品が、交換レンズ内部に混在して配置されている。
【０００９】
交換レンズは、マニュアルフォーカス操作、ズーミング操作、交換レンズの着脱操作など、使用者が交換レンズを手動で操作する機会が多い。また、使用者からフォーカス
の操作があると、フォーカス群の光学素子は主軸・副軸に沿って移動する。従って、主軸・副軸は光学素子を精度よく支持し、移動させるためにガイドシャフトに金属製が用いられる。特にミラーレス用の交換レンズは、ガイドシャフトが用いられるのが一般的である。
【００１０】
使用者が帯電した状態で上記のような交換レンズを操作した場合、交換レンズに高電圧の静電気が放電されると、交換レンズ内部を通過することで、制御に対して悪影響を及ぼしたり、電子部品を破壊したりするおそれがある。
【００１１】
そこで、電子機器内外から意図しない電気による電子機器への悪影響を防ぐため、ＥＭＣ試験などがある。ＥＭＣ試験は、電子機器内で発生した電磁的なノイズが外部へ及ぼす影響を計測するＥＭＩ試験と、電子機器外で発生した電磁的なノイズに対する耐性を計測するＥＭＳ試験とからなる。
【００１２】
このＥＭＣ試験の結果から、交換レンズのメカ機構の設計変更や静電気対策用部品の追加など、電子機器内外への電磁的なノイズに関する悪影響対策が施される。
【００１３】
電子機器への電磁的なノイズに関する対策として一般的なものに、電子機器内部を通過する電気を導電性の部材を通過するように機構を設計することで、意図しない電気を電子機器の基準電位へ誘導し接地することなどがある。
【００１４】
特許文献１に記載されたレンズ鏡筒では、静電気のような高電圧電流がレンズ鏡筒に印加されてレンズ鏡筒内部に含まれる電子回路に悪影響を及ぼすことで、カメラが誤動作することへの対策として、レンズ鏡筒を、導電性を有した炭素繊維が混入した成形樹脂で構成し、さらにカムフォロワーやギア機構も導電性を有した材料で構成し、これらを電気的に接続して電子回路のグランドへと接続する方法を開示している。
【先行技術文献】
【特許文献】
【００１５】
【特許文献１】特開２００１−３３７２６０号公報
【発明の概要】
【発明が解決しようとする課題】
【００１６】
しかしながら、特許文献１に記載のレンズ鏡筒は、導電性のあるレンズ鏡筒の外観部とレンズ鏡筒内部の電子回路の接地部とを電気的に接続するので、レンズ鏡筒の外観部からレンズ鏡筒内部の電子回路の接地部とを電気的に接続するのに介在するパーツが多くなるという課題を有する。
【００１７】
また、レンズ鏡筒からレンズ鏡筒内部の電子回路の接地部とを電気的に接続するのに介在するパーツは導電性を有するために炭素繊維や金属などを材料として利用するため、材料が高価になるという課題を有する。
【００１８】
本発明はこのような状況に鑑みてなされたものであり、新規パーツを増やすことなく導通経路を通すためのスペースの確保も不要でありながら、外部からの意図しない電気による電子制御に対する機能・動作の阻害や電子部品の破壊が発生することを防止できる交換レンズを提供することを目的とする。
【課題を解決するための手段】
【００１９】
上記課題を解決するための手段である第１の発明は、レンズ鏡筒の外観に配置され金属からなる外観リング部と、導電性を有し、光軸と平行に配置され、レンズ保持部材を前記光軸と平行方向に進退移動自在に案内するガイドシャフトと、前記レンズ保持部材を前記ガイドシャフトに沿って前記光軸方向に進退移動させる駆動部と、非導電性を有し、前記レンズ鏡筒に固定されている固定筒と、前記レンズ鏡筒を撮像装置に接続するマウント部と、導電性を有し、前記外観リングと前記ガイドシャフトと前記マウント部とを電気的に接続する導電板と、を備えることを特徴とする交換レンズ。
【００２０】
また、上述の課題を解決するための手段である第２の発明は、第１の発明に記載された交換レンズであって、前記外観リング部は、前記レンズ鏡筒の飾りリング又は前記レンズ鏡筒側面に位置するリングであることを特徴とする。
【発明の効果】
【００２１】
本発明によれば、新規パーツを増やすことなく導通経路を通すためのスペースの確保も不要でありながら、外部からの意図しない電気による電子制御に対する機能・動作の阻害や電子部品の破壊が発生することを防止することのできる交換レンズを提供することができる。
【図面の簡単な説明】
【００２２】
【図１】本発明の実施例に係る断面図
【発明を実施するための形態】
【００２３】
以下、添付の図面に従って、本発明を実施するための最良の形態について説明する。なお、この実施の形態により本発明が限定されるものではない。
【００２４】
交換レンズ１００は、不図示のカメラ本体に脱着可能であり、交換レンズ１００のマウント部１０１とカメラ本体のマウント部とがバヨネット機構などにより接続される。長焦点距離の大きく重い交換レンズがカメラ本体に接続されることもあるので、カメラ本体のマウント部は強度と精度の確保が求められる。従って、カメラ本体のマウント部は、金属製であることが一般的である。また、カメラ本体のマウント部分は、交換レンズ１００とカメラ本体との通信、カメラ本体から交換レンズ１００への電源の供給、カメラ本体と交換レンズ１００の基準電位を揃えるといったことを行う各種端子が備えられている。
【００２５】
交換レンズ１００は、金属製の部材と合成樹脂（プラスチック）からなる部材とから構成される。
【００２６】
交換レンズ１００は、小型・軽量化が求められているため、小型・軽量化を実現するために交換レンズの部材の材料として合成樹脂を多用したい。実際に、交換レンズを装着するマウント部やカム筒などを支えるための固定筒など強度や精度を確保したい部分以外は合成樹脂製の部材となりやすい。しかし、合成樹脂を交換レンズ１００の部材の材料として多用すると、交換レンズ１００内部で発生もしくは外部より与えられた意図しない電気により、悪影響が及ぶ可能性がある。交換レンズ１００は、固定筒１０３と固定筒ｂ１１０に合成樹脂を用いているので金属パーツ１０５とマウント１０１とが電気的に接続されていないことから、意図しない電気により、悪影響が及ぶ可能性がある。そこで、導電性の高い金属製の部材を用いることで意図しない電気を誘導し、電子部品や実装基板への電気的な悪影響を防止するといった設計上の考慮が必要となる。
【００２７】
図１は、本実施例の交換レンズ１００を光軸に平行な平面で切断した断面図である。尚、図１は、本発明の説明を簡単にするために簡略化されている。図左側が物体側、右側が像側となる。
【００２８】
本実施例の交換レンズ１００において、１０１はマウント、１０２は後部筒、１０３は固定筒、１０４はフォーカスリング、１０５は金属パーツ、１０６は導通板、１０７は主軸、１０８は実装基板、１０９は副軸、１１０は固定筒ｂ、Ｌ１〜Ｌ３は各レンズ群である。
【００２９】
本実施例において、マウント１０１、後部筒１０２、金属パーツ１０５、導通板１０６、主軸１０７、副軸１０９は、いずれも金属製である。
【００３０】
マウント１０１と後部筒１０２は、互いにビスにて連結固定されており、両部材ともに金属製であるので導電性を有する。従って外部から意図しない電気が与えられた場合でも優先的に電気を誘導する性質がある。
【００３１】
固定筒１０３と固定筒ｂ１１０は、交換レンズ１００の基礎となり、固定筒１０３と固定筒ｂ１１０自体は、交換レンズ１００の操作によって回転はしない。また、固定筒１０３と固定筒ｂ１１０は、合成樹脂製となるので、外部から意図しない電気が与えられた場合でも固定筒１０３と固定筒ｂ１１０を通過しにくい。
【００３２】
フォーカスリング１０４は、外観部材であり使用者が手動で操作することで合焦位置の調整が可能である。
【００３３】
金属パーツ１０５は、外観部材である。本実施例では、ネームリング位置に配置されているが、交換レンズ１００側面のリングであってもよい。
【００３４】
主軸１０６は、金属製であり不図示のモータと連結している。駆動部であるモータの回転により、レンズ群Ｌ２は主軸１０６と副軸１０９に沿って光軸方向に摺動しながら移動する。
【００３５】
導通板１０７は、金属製であり金属パーツ１０５と主軸１０６、主軸１０６とマウント１０１を電気的に接続する。尚、基板１０８がマウント１０１と電気的に接続されている場合、主軸１０６は、基板１０８を介してマウント１０１に電気的に接続してもよい。
【００３６】
基板１０８は、交換レンズ１００の制御やカメラ本体との通信処理などを行う。基板１０８は、マウント１０１と後部筒１０２に囲まれている。また、基板１０８は、略円環型の形状又は円周の一部を切り欠いたＣ型形状をしている。
【００３７】
以上のことから、本願発明に記載の交換レンズ１００は、交換レンズ１００の物体側に位置する外観の金属パーツ１０５から物体側の導通板１０７を介して主軸１０６と像側の導通板１０７を再び介してマウント１０１までが電気的に接続される。つまり、交換レンズ１００の外観の金属パーツ１０５は、グランドとなるマウント１０１へ電気的に接続されることとなる。その結果、交換レンズ１００の外観へ金属パーツ１０５を取り付けることで、ＥＭＣ試験の際に金属パーツ１０５に電荷が溜まってしまい、内部のパーツに静電気が飛んでしまうということがなくなる。
【００３８】
そうすると、本願発明は交換レンズ１００の内部に、従来静電気対策のために用いられていたフレキや銅箔テープ、プレスパーツなどを追加する必要がない。
【００３９】
したがって、本願発明は、金属製であり導電性を有する主軸１０６を金属パーツ１０５からマウント１０１までの導通経路の一部に使用することで、新たに導通経路を通すためのフレキや銅箔テープ、プレスパーツ等のスペースを確保する必要がない。
【００４０】
また、本願実施例は、外観部材である金属パーツ１０５をネームリング位置に配置したが、交換レンズ１００の側面に位置するリングであってもよい。その場合、物体側の導通板１０７は、交換レンズ１００の側面に位置するリングである金属パーツ１０５と主軸１０６を電気的に接続するよう配置されることは言うまでもない。
【００４１】
本願実施例は、主軸１０６を金属パーツ１０５からマウント１０１までの導通経路の一部に使用したが、金属パーツ１０５からマウント１０１まで電気的に接続されていれば主軸１０６の代わりに副軸１０９を導通経路に用いても問題ないことは言うまでもない。
【符号の説明】
【００４２】
１００    交換レンズ
１０１    マウント
１０２    後部筒
１０３    固定筒
１０４    フォーカスリング
１０５    金属パーツ
１０６    主軸
１０７    導通軸
１０８    基板
１０９    副軸
１１０    固定筒
【図１】
2018081116.tif 000003